(57)【特許請求の範囲】
【請求項１】
データを記憶する磁気ディスクと、前記磁気ディスクからデータを読み出したり、前記磁気ディスクにデータを書き込んだりする磁気ヘッドと、前記磁気ヘッドを保持する負圧型スライダと、前記負圧型スライダを揺動自在に保持するフレクシャと、前記フレクシャを保持し前記磁気ディスク上を移動するアームと、前記アームをロックする手段とを備えたハードディスク装置であって、
前記磁気ディスク表面方向に向かって傾斜した傾斜部と、前記傾斜部に連なる平行部とを備えた押圧部材を備えると共に、前記フレクシャを保持したアームが移動することによって、前記フレクシャが前記押圧部材の傾斜部に当接して前記磁気ディスクの表面方向に押圧され、前記押圧部材の平行部の位置で保持されることによって、前記フレクシャに保持された負圧型スライダを前記磁気ディスクの表面に接近させることを特徴とするハードディスク装置。
【請求項２】
データを記憶する磁気ディスクと、前記磁気ディスクを挟み、対向するように配置され、前記磁気ディスク上を移動する一対のアームと、前記一対のアームのそれぞれに取り付けられた一対のフレクシャと、前記一対のフレクシャのそれぞれの先方の磁気ディスク側に取り付けられた一対の負圧型スライダと、前記一対の負圧型スライダのそれぞれに取り付けられた一対の磁気ヘッドとを備えたハードディスク装置であって、
前記磁気ディスクを挟んで、前記磁気ディスク表面方向に向かって傾斜した傾斜部と、前記傾斜部に連なる平行部とを備えた一対の押圧部材を備えると共に、前記一対のフレクシャの間に、前記磁気ディスク面の外で前記一対のフレクシャを離間させる接触防止部材を備え、
動作時には、前記フレクシャを保持した一対のアームが移動することによって、前記それぞれのフレクシャが前記それぞれの押圧部材の傾斜部に当接して前記磁気ディスクの表面方向に押圧され、前記それぞれの押圧部材の平行部の位置で保持されることによって、前記それぞれのフレクシャに保持された負圧型スライダを前記磁気ディスクの表面に接近させ、
非動作持には、前記接触防止部材によって、前記磁気ディスク面の外で前記一対のフレクシャを離間させることを特徴とするハードディスク装置。
【発明の詳細な説明】
【０００１】
【産業上の利用分野】
本発明は、ハードディスク装置に関するものである。
【０００２】
【従来の技術】
従来より、磁気ディスク装置には、一般にデータの記録再生を行うための磁気ヘッドを有した浮上式スライダが用いられている。そして、磁気ヘッドを磁気ディスク上の所望のトラックに位置させるために、磁気ディスクの回転方向を横切る方向に移動自在なアームの先端にフレクシャを固定し、フレクシャの先端部に浮上式スライダを取り付けた構造になっている。そして、一般的に浮上式スライダには、正圧型スライダが用いられている。
【０００３】
以下、その動作を説明する。磁気ディスクの停止時には、スライダは磁気ディスク面に一定荷重で押え付けられており、磁気ディスクが回転を始めてもしばらくは磁気ディスク面と接触している。そして、磁気ディスクの回転が所定の回転数に達すると、磁気ディスク表面に発生する空気流によって生じる正圧力とスライダに作用している荷重とがつり合った位置を保ってスライダは浮上する。そして、磁気ディスクの回転速度が遅くなると、正圧力が小さくなり、再びスライダは磁気ディスク面と接触しながら磁気ディスクは停止する。しかし、このような動作を行うと、スライダと磁気ディスク面とがこすり合い、摩耗粉や傷が発生したり、磁気ディスク表面に凝集した水分などによるスライダと磁気ディスクの吸着が生じていた。そこで近年、浮上式スライダに負圧型スライダを用い、スライダと磁気ディスクを非接触で浮上させる方法が提案されている。以下この負圧型スライダを用いた磁気ディスク装置を図５を用いて説明する。図５において、２１は板バネによって構成されたフレクシャであり、フレクシャ２１は磁気ディスク２５に記録されたデータトラックを横切る方向に移動自在なキャリッジアーム２４に固定されている。フレクシャ２１は磁気ディスク２５から遠ざかる方向に復元力が働くようにキャリッジアーム２４の近傍で折り曲げてキャリッジアーム２４に固定されている。２２はフレクシャ２１の先端に設けられた薄板によって形成されたジンバルでフレクシャ２１に固定されており、このジンバル２２に磁気変換素子を備えたスライダ２３が取り付けられている。ジンバル２２はスライダ２３のローリング運動及びピッチング運動時にねじれを生じ、スライダ２３は磁気ディスク２５に追従しながら浮上する。２６はフレクシャ２１の磁気ディスク２５側と反対側に、フレクシャ２１と接触しないように、しかもフレクシャ２１から離されて設けられ、支持アーム２７に取り付けられたロードピンである。支持アーム２７は、スライダ２３を磁気ディスク２５上にローディングさせる際、支持アーム２７に取り付けられたロードピン２６によりフレクシャ２１を磁気ディスク２５側に変位させるようになっている。また、支持アーム２７の駆動は、ソレノイド２８に電流を供給し、ソレノイド２８の鉄芯２９を突出状態から後退状態にすることによって行う。
【０００４】
以下この動作を図６（ａ）（ｂ）（ｃ）を用い説明する。図６（ａ）において、磁気ディスク２５が回転していない時は、ソレノイド２８には電流が供給されていないため、ソレノイド２８の鉄芯２９は突出状態であり、ロードピン２６とフレクシャ２１は離れた状態である。次に、磁気ディスク２５が回転し、所定の回転数に達すると、ソレノイド２８に電流を供給する。するとソレノイド２８の鉄芯２９は突出状態から後退状態へと移行し、支持アーム２７は磁気ディスク２５の方向に移動し支持アーム２７に取り付けられたロードピン２６がフレクシャ２１を磁気ディスク２５側に押し曲げる状態が図６（ｂ）である。さらにフレクシャ２１を図６（ｃ）の状態、即ち磁気ディスク２５と一定距離まで接近するとスライダ２３に負圧力が発生し、スライダ２３は磁気ディスク２５に引き付けられるように浮上状態になる。そして、スライダ２３に発生する正圧力と負圧力およびフレクシャ２１の復元力がつり合った状態でスライダ２３は磁気ディスク２５と一定の間隙を保って浮上する。以上のように負圧型スライダを用いてローディング動作を行っていた。
【０００５】
【発明が解決しようとする課題】
しかしながら、上記従来の構成では、ソレノイド２８に供給する電流の制御等により、急激に鉄芯２９が突出状態から後退状態へ移行しないようにして、更にロードピン２６のばね荷重値も一定の範囲内にする為には機構系の精度が必要であり、また、ローディング機構が複雑になりコスト面、信頼生を確保することが困難であった。また、非動作時にもスライダ２３は磁気ディスク２５の面上にある為、外部からの振動、衝撃等によりスライダ２３と磁気ディスク２５が接触し、磁気ディスク２５に傷がつき粉塵が発生し、データの破壊やクラッシュを生じ高信頼性を確保出来ないという課題も有していた。
【０００６】
【課題を解決するための手段】
本発明は上記課題を解決する為に、負圧型スライダを備えた磁気ヘッドと、負圧型スライダを保持するフレクシャと、フレクシャを保持しディスク上を移動するアームと、フレクシャを押圧する押圧部材と、アームをロックさせるロック機構と、負圧型スライダの損傷を防止する接触防止部材とを備える。
【０００７】
【作用】
本発明では上記した構成により、アームをフレクシャが押圧部材に当接し押圧される位置まで移動させ、そこでアームのロック機構を作動させてアームをロックさせると、押圧されたフレクシャに保持された負圧型スライダは回転する磁気ディスク表面に接近し、負圧型スライダには磁気ディスクの回転によって生じる空気流により負圧が発生し、負圧型スライダはこの負圧の発生により更に磁気ディスク表面に接近し、負圧型スライダはこの負圧力と負圧型スライダを磁気ディスク表面から離そうとする正圧力と磁気ディスクの方向に曲がったフレクシャがもとの状態に戻ろうとする力のつりあった位置で止り、磁気ディスクへのデータの書き込み及び磁気ディスクからのデータの読みだしが可能となる。ハードディスク装置の停止時には負圧型スライダが磁気ディスク表面上から外れる位置までアームを移動させアームのロック機構を作動させてアームをロックする。このアームがロックされた位置では、磁気ディスクを挟み対向するように配置されたフレクシャ間に接触防止部材が設けられており、外部からの振動、衝撃等によるスライダ同士の接触を防ぐようになっている。
【０００８】
【実施例】
以下、本発明の一実施例について図１，図２，図３，図４を参照しながら説明する。図１は本発明の一実施例におけるハードディスク装置の要部斜視図で、図２，図３，図４は本発明の動作状態を示す図である。
【０００９】
図１において１，２はスライダを保持するフレクシャで、板ばねに曲げ加工等を施して形成されている。３，４はフレクシャの先端の磁気ディスク側に取り付けられた浮上型磁気ヘッドで負圧型のスライダを備えている。５，６は浮上型磁気ヘッド３，４を浮上させる為の押圧部材、７は浮上型磁気ヘッド３，４が非動作状態で接触する事を防止する接触防止部材であり、それぞれ８の押圧部保持部材にねじ止めされている。押圧部保持部材８はベース（図示せず）に固定されている。９は磁気ディスクである。１０はアームでありボイスコイルモータ（図示せず）によって駆動され１１の回転軸を中心に磁気ディスク上を移動出来る用に構成されている。アーム１０の先端にはフレクシャ１、２がそれぞれねじ止めされている。１２は回転軸１１に対してフレクシャ１，２と反対側にアーム１０に取り付けられた扇型のコイルモールドであり、アーム１０をロックする時に使用する段差１２ａ，１２ｂが設けられている。１３，１４はソレノイド型のプランジャーであり、プランジャー１３により１５のロックピンが動作し、プランジャー１４により１６のロックピンが動作する様になっている。１７はゴム製のストッパーである。ストッパー１７はアームを磁気ディスク９の外周方向に移動させた時にフレクシャ１，２が押圧部保持部材８に接触する前にコイルモールド１２に当接する様に配置されている。
【００１０】
以上のように構成された本実施例のハードディスク装置について、図２，図３，図４を用いて以下にその動作を説明する。
【００１１】
ハードディスク装置の起動前の状態を図２（ａ）（ｂ）に示す。図２（ａ）（ｂ）はそれぞれ本実施例の上面図及び側面図である。ハードディスク装置が起動を始め磁気ディスク９が回転を開始する。磁気ディスク９の回転が安定したら、プランジャー１３でロックピン１５を引き込ませアーム１０を矢印Ａ方向へ移動させる。アーム１０が矢印Ａ方向に移動するとフレクシャ１，２は押圧部材５，６のそれぞれの傾斜部５ａ，６ａに当接し、フレクシャ１，２はそれぞれ磁気ディスク９の方向に押圧されていき、フレクシャ１，２が平行部５ｂ，６ｂの部分にくると浮上型磁気ヘッド３，４は磁気ディスク９の表面に接近し、図３（ａ）（ｂ）に示す様にコイルモールド１２の段差１２ｂにロックピン１６が当接しアーム１０の移動が止まる事になる。図３（ａ）（ｂ）はそれぞれ本実施例の上面図及び側面図である。磁気ディスク９の表面に接近した浮上型磁気ヘッド３，４は負圧型スライダを備えている為、磁気ディスク９の回転によって生じる空気流により負圧力が働き、更に磁気ディスク９の表面に接近する事になる。浮上型磁気ヘッド３，４はこの負圧力と浮上型磁気ヘッド３，４を磁気ディスク９の表面から離そうとする正圧力と磁気ディスク９の方向に押圧され曲げられたフレクシャ１，２がもとの状態に戻ろうとする力のつりあった位置で止まりデータの記録再生が可能なローディング状態となる。この状態を図４（ａ）（ｂ）に示す。図４（ａ）（ｂ）はそれぞれ本実施例の上面図及び側面図である。浮上型磁気ヘッド３，４のローディングが完了したらプランジャー１４でロックピン１６を引き込ませアーム１０が磁気ディスク９上を移動出来るようにする。次にハードディスク装置の停止時の動作について説明する。アーム１０を前記の浮上型磁気ヘッド３，４のローディング位置に移動させ一旦ここでアーム１０を止めて、プランジャー１４でロックピン１６を押し出しプランジャー１３でロックピン１５を押し出す。次にコイルモールド１２がストッパー１７に当接するまでアーム１０を磁気ディスク９の外周方向に移動させると、浮上型磁気ヘッド３，４は磁気ディスク９の表面から引き離されアンローディング状態となる。この時に接触防止部材７によって、アンロード時に板バネで構成させれたフレクシャ１，２が振動する事による浮上型磁気ヘッド３と浮上型磁気ヘッド４の衝突は無い。コイルモールド１２がストッパー１７に当接するとロックピン１５がコイルモールド１２の段差１２ａに入り込みアーム１０はロックされる事になる。
【００１２】
以上のように本実施例によれば、負圧型スライダを備えた浮上型磁気ヘッド３，４を押圧部材を用いてアーム１０の移動によりローディングさせ、またアーム１０を磁気ディスク９の外周方向に移動させ浮上型磁気ヘッド３，４を磁気ディスク９の表面から引き離しアンローディングさせる様にしたことにより浮上型磁気ヘッド３，４は磁気ディスク９の表面に接触する事なくローディング状態及びアンローディング状態に移る事が出来る。更に図２（ａ）（ｂ）に示す様にハードディスク装置の非動作時にはフレクシャ１とフレクシャ２の間に設けられた接触防止部材７により外部からの振動、衝撃等による浮上型磁気ヘッド３と浮上型磁気ヘッド４の接触を防ぐ事が出来る。
【００１３】
【発明の効果】
本発明は、負圧型スライダを備えた浮上型磁気ヘッドが先端に取り付けられたフレクシャを押圧部材を用いてアームの移動により押圧し、浮上型磁気ヘッドを磁気ディスク表面に接近させる事により浮上型磁気ヘッドをローディング状態にして、またアームを磁気ディスクの外周方向に移動させ浮上型磁気ヘッドを磁気ディスクの表面から引き離しアンローディングさせる様にしたことにより、ロードアンロード機構を簡単な機構により実現でき、更に非動作時には、負圧型スライダは磁気ディスク面上には無く、また磁気ディスクを挟む様に配置された二つフレクシャの間に接触防止部材を設けた事により、ハードディスク装置の非動作時における外部からの振動、衝撃等による、負圧型スライダと磁気ディスクの接触、負圧型スライダ同士の接触を防ぐ事が出来、高信頼性で低コストのハードディスク装置を実現出来るものである。
【図面の簡単な説明】
【図１】本発明の一実施例におけるハードディスク装置の要部斜視図
【図２】（ａ）本発明の一実施例におけるハードディスク装置の動作を示す上面図
（ｂ）本発明の一実施例におけるハードディスク装置の動作を示す側面図
【図３】（ａ）本発明の一実施例におけるハードディスク装置の動作を示す上面図
（ｂ）本発明の一実施例におけるハードディスク装置の動作を示す側面図
【図４】（ａ）本発明の一実施例におけるハードディスク装置の動作を示す上面図
（ｂ）本発明の一実施例におけるハードディスク装置の動作を示す側面図
【図５】従来のハードディスク装置の要部斜視図
【図６】（ａ）従来のハードディスク装置の動作を示す側面図
（ｂ）従来のハードディスク装置の動作を示す側面図
（ｃ）従来のハードディスク装置の動作を示す側面図
【符号の説明】
１  フレクシャ
２  フレクシャ
３  浮上型磁気ヘッド
４  浮上型磁気ヘッド
５  押圧部材
６  押圧部材
７  接触防止部材
９  磁気ディスク
１０  アーム
１２  コイルモールド
１５  ロックピン
１６  ロックピン
【図１】
0003616108.tif 000002
【図２】
0003616108.tif 000003
【図３】
0003616108.tif 000004
【図４】
0003616108.tif 000005
【図５】
0003616108.tif 000006
【図６】
0003616108.tif 000007